(57)【要約】 【課題】柔軟性を有するハニカム構造のマットで天然放射性鉱物含有セラミックプレートによる放射線と遠赤外線等により治療効果を高める。【解決手段】人が横臥可能な大きさを有するハニカム状シート２と、該シート２上に分散して配置された複数個の天然放射性鉱物含有セラミックプレート３と、前記ハニカム状シートの下面に設けられ、通電により発熱する加熱手段４とを備える内部構成物Ｂと、該内部構成物Ｂを被包するカバー５とを備える温熱治療用マット。【選択図】図３
0003124250.tif 000002
【実用新案登録請求の範囲】
【請求項１】
人が横臥可能な大きさを有するハニカム状シートと、該シート上に分散して配置された複数個の天然放射性鉱物含有セラミックプレートと、前記ハニカム状シートの下面に設けられ、通電により発熱する加熱手段とを備える内部構成物と、該内部構成物を被包するカバーとを備えることを特徴とする温熱治療用マット。
【請求項２】
前記温熱治療用マットは、人が横臥可能な大きさを有し、かつセラミックプレート配置用の複数の開口部を備える第２のハニカム状シートを備え、前記セラミックプレートは、前記第２のハニカム状シートの複数の開口部に収納されている請求項１に記載の温熱治療用マット。
【請求項３】
前記セラミックプレートを開口部に収納した前記第２のハニカム状シートは、全体が被包材により被包され、前記セラミックプレートの前記第２のハニカム状シートからの離脱が規制されている請求項２に記載の温熱治療用マット。
【請求項４】
前記セラミックプレートは、前記第２のハニカム状シートの前記開口部内に収納されるとともに固定されている請求項２または３に記載の温熱治療用マット。
【請求項５】
前記セラミックプレートの厚さは、前記第２のハニカム状シートの厚さより薄く、前記開口部より突出しないものとなっている請求項２ないし４のいずれかに記載の温熱治療用マット。
【請求項６】
前記セラミックプレートの厚さは、前記第２のハニカム状シートの厚さより薄く、前記温熱治療用マットに人が横臥した状態においても、前記第２のハニカム状シートの前記開口部より突出しないものとなっている請求項２ないし４のいずれかに記載の温熱治療用マット。
【請求項７】
人が横臥可能な大きさを有するハニカム状シートと、該シート上に分散して配置された複数個の天然放射性鉱物含有セラミックプレートと、前記ハニカム状シートの下面に設けられ、通電により発熱する加熱手段とを備える内部構成物と、該内部構成物を被包するカバーとを有する温熱治療用マットであって、前記温熱治療用マットは、人が横臥可能な大きさを有し、かつ前記セラミックプレート配置用の複数の開口部を備える第２のハニカム状シートを備え、前記セラミックプレートは、前記第２のハニカム状シートの複数の開口部に収納固定されており、かつ、前記セラミックプレートの厚さは、前記第２のハニカム状シートの厚さより薄く、前記開口部より突出しないものとなっていることを特徴とする温熱治療用マット。
【請求項８】
前記ハニカム状シートは、ハニカム形態を形成する側面がメッシュ状となっているハニカムメッシュシートである請求項１ないし７のいずれかに記載の温熱治療用マット。
【請求項９】
前記セラミックプレートは、前記温熱治療用マットの縦方向および横方向に適宜間隔にて複数配置されている請求項１ないし８のいずれかに記載の温熱治療用マット。
【請求項１０】
前記加熱手段は、ヒータ線であり、該ヒーター線の一部は、前記セラミックプレートの下方に位置している請求項１ないし９のいずれかに記載の温熱治療用マット。
【請求項１１】
前記天然放射性鉱物は、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものである請求項１ないし１０のいずれかに記載の温熱治療用マット。
【請求項１２】
前記温熱治療用マットは、該マットの長手方向の所定位置に、長手方向に直交するとともに、他の領域における前記セラミックプレートの前記マットの長手方向離間距離より長い所定幅を有する前記セラミックプレート不存在領域を備え、該セラミックプレート不存在領域において折り畳み可能となっている請求項１ないし１１のいずれかに記載の温熱治療用マット。
【考案の詳細な説明】
【技術分野】
【０００１】
この考案は、天然放射性鉱物含有セラミックプレートを使用した温熱治療用マットに関する。
【背景技術】
【０００２】
従来、この種の温熱治療器として、トルマリンを所要量混入した球状セラミック材と、熱源とを布製芯材に適宜の間隔で配置し、布製芯材の上下両面のそれぞれをシールド材とマイナスイオン増幅材とを重合して表面をカバーで被覆したものがある（特許文献１参照）。
また、放射線岩盤浴施設として、複数個の放射能を有するセラミックを埋め込んだ構造としたものが、提案されている（特許文献２参照）。
【０００３】
【特許文献１】実用新案登録第３１０４８９７号公報
【特許文献２】特開２００６−６５０７号公報
【考案の開示】
【考案が解決しようとする課題】
【０００４】
特許文献１の温熱治療器では、球状セラミック材と、熱源とが同一面に間隔をおいて配置されたものであるから、熱源による熱刺激と球状セラミック材によるマイナスイオンの作用を利用して治療を行うことができるが、人が横臥して治療するときに弾性が少なく、長時間使用することには問題があった。
また、特許文献２の放射線岩盤浴施設は、放射能を有するセラミックを埋め込むだけで、放射線を放出できるが、加熱手段がないので、効果が少なく、持ち運びできないので、家庭用として使用できないという問題がある。
この考案は、このような問題点を解消するために、家庭にて使用できるように運搬可能であるとともに、人が横臥してもセラミックプレートによる違和感がなく、かつ、セラミックプレートの加熱および横臥する者への加熱を確実に行え、セラミックプレートに起因する微量放射線、遠赤外線等により高い治療効果が期待できる温熱治療用マットを提供することを目的とする。
【課題を解決するための手段】
【０００５】
この考案の請求項１の温熱治療用マットは、人が横臥可能な大きさを有するハニカム状シートと、該シート上に分散して配置された複数個の天然放射性鉱物含有セラミックプレートと、前記ハニカム状シートの下面に設けられ、通電により発熱する加熱手段とを備える内部構成物と、該内部構成物を被包するカバーとを備えることを特徴とする。
【０００６】
請求項２の考案は、請求項１の前記温熱治療用マットであって、かつ、前記温熱治療用マットは、人が横臥可能な大きさを有し、かつ前記セラミックプレート配置用の複数の開口部を備える第２のハニカム状シートを備え、前記セラミックプレートは、前記第２のハニカム状シートの複数の開口部に収納されているものである。
請求項３の考案は、請求項２に記載の温熱治療用マットであって、かつ、前記セラミックプレートを開口部に収納した前記第２のハニカム状シートは、全体が被包材により被包され、前記セラミックプレートの前記第２のハニカム状シートからの離脱が規制されているものである。
【０００７】
請求項４の考案は、請求項２または３の前記温熱治療用マットであって、かつ、前記セラミックプレートは、前記第２のハニカム状シートの前記開口部内に収納されるとともに固定されているものである。
請求項５の考案は、請求項２ないし４のいずれかの前記温熱治療用マットであって、かつ、前記セラミックプレートの厚さは、前記第２のハニカム状シートの厚さより薄く、前記開口部より突出しないものとなっている。
請求項６の考案は、請求項２ないし４のいずれかの前記温熱治療用マットであって、かつ、前記セラミックプレートの厚さは、前記第２のハニカム状シートの厚さより薄く、前記温熱治療用マットに人が横臥した状態においても、前記第２のハニカム状シートの前記開口部より突出しないものとなっている。
【０００８】
この考案の請求項７の温熱治療用マットは、人が横臥可能な大きさを有するハニカム状シートと、該シート上に分散して配置された複数個の天然放射性鉱物含有セラミックプレートと、前記ハニカム状シートの下面に設けられ、通電により発熱する加熱手段とを備える内部構成物と、該内部構成物を被包するカバーとを有する温熱治療用マットであって、前記温熱治療用マットは、人が横臥可能な大きさを有し、かつ前記セラミックプレート配置用の複数の開口部を備える第２のハニカム状シートを備え、前記セラミックプレートは、前記第２のハニカム状シートの複数の開口部に収納固定されており、かつ、前記セラミックプレートの厚さは、前記第２のハニカム状シートの厚さより薄く、前記開口部より突出しないものとなっていることを特徴とする。
【０００９】
請求項８の考案は、請求項１ないし７のいずれかの前記温熱治療用マットであって、かつ、前記ハニカム状シートは、ハニカム形態を形成する側面がメッシュ状となっているハニカムメッシュシートである。
請求項９の考案は、請求項１ないし８のいずれかの前記温熱治療用マットであって、かつ、前記セラミックプレートは、前記温熱治療用マットの縦方向および横方向に適宜間隔にて複数配置されている。
【００１０】
請求項１０の考案は、請求項１ないし９のいずれかの前記温熱治療用マットであって、かつ、前記加熱手段は、ヒータ線であり、該ヒーター線の一部は、前記セラミックプレートの下方に位置している。
請求項１１の考案は、請求項１ないし１０のいずれかの前記温熱治療用マットであって、かつ、前記天然放射性鉱物は、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものである。
請求項１２の考案は、請求項１ないし１１のいずれかの前記温熱治療用マットであって、かつ、該マットの長手方向の所定位置に、長手方向に直交するとともに、前記セラミックプレートの前記マットの長手方向離間距離より長い所定幅を有する前記セラミックプレート不存在領域を備え、該セラミックプレート不存在領域において折り畳み可能となっているものである。
【考案の効果】
【００１１】
請求項１の考案の温熱治療用マットによれば、通気性、柔軟性を持たせるハニカム状シートと、該シート上に分散配置された複数個の天然放射性鉱物含有セラミックプレートと、前記ハニカム状シートの下面の加熱手段とを備える内部構成物をカバーで被包したので、人が横臥してもセラミックプレートによる違和感がなく、かつ、セラミックプレートの加熱および横臥する者への加熱を確実に行え、セラミックプレートに起因する微量放射線、遠赤外線等により高い治療効果が期待できる。また、この温熱治療用マットは家庭にて使用できるように運搬可能である。
【００１２】
請求項２の考案によれば、前記温熱治療用マットは、人が横臥可能な大きさを有し、かつ前記セラミックプレート配置用の複数の開口部を備える第２のハニカム状シートを備え、前記セラミックプレートは、前記第２のハニカム状シートの複数の開口部に収納されているので、ハニカム状シートは通気性および柔軟性を有し、かつセラミックプレートを収納保持できる。
請求項３の考案によれば、前記セラミックプレートが開口部に収納された前記第２のハニカム状シートは、全体が被包材により被包され、前記セラミックプレートの前記第２のハニカム状シートからの離脱を規制することができる。
また、請求項４の考案によれば、前記セラミックプレートは、前記第２のハニカム状シートの前記開口部内に収納されるとともに固定されているので、使用中にセラミックプレートが動くことがない。
【００１３】
請求項５の考案によれば、前記セラミックプレートの厚さは、前記第２のハニカム状シートの厚さより薄く、前記開口部より突出しないものとなっている。
また、請求項６の考案によれば、前記セラミックプレートの厚さは、前記第２のハニカム状シートの厚さより薄く、前記温熱治療用マットに人が横臥した状態においても、前記第２のハニカム状シートの前記開口部より突出しないものとなっているので、使用中にセラミックプレートがハニカム状シートより突出せず、横臥する人体にセラミックプレートがフイットして当たるようにできる。
【００１４】
請求項７の考案によれば、人が横臥可能な大きさを有するハニカム状シートと、該シート上に分散して配置された複数個の天然放射性鉱物含有セラミックプレートと、前記ハニカム状シートの下面に設けられ、通電により発熱する加熱手段とを備える内部構成物と、該内部構成物を被包するカバーとを有する温熱治療用マットであって、前記温熱治療用マットは、人が横臥可能な大きさを有し、かつ前記セラミックプレート配置用の複数の開口部を備える第２のハニカム状シートを備え、前記セラミックプレートは、前記第２のハニカム状シートの複数の開口部に収納固定されており、かつ、前記セラミックプレートの厚さは、前記第２のハニカム状シートの厚さより薄く、前記開口部より突出しないものとなっているので、通気性および柔軟性を有し、人がマット上に横臥して治療するときにマット本体が変形して人体にセラミックプレートをフイットさせて違和感なく長時間使用でき、かつセラミックプレートが加熱され、天然放射性鉱物が発する放射線による刺激、遠赤外線による熱刺激、マイナスイオンにより人体の細胞の働きを高め、免疫力、自然治癒力を高め、人体の血行等をよくして治療効果を高めることができる。
【００１５】
請求項８の考案によれば、前記ハニカム状シートは、ハニカム形態を形成する側面がメッシュ状となっているハニカムメッシュシートとしたので、通気性および柔軟性を有し、人がマット上に横臥して治療するときにマット本体が変形して人体にセラミックプレートがフイットしやすい。
請求項９の考案によれば、前記セラミックプレートは、前記温熱治療用マットの縦方向および横方向に適宜間隔にて複数配置され、横臥する人体の複数個所に前記セラミックプレートからの放射線、遠赤外線等を当てて治療することができる。
【００１６】
請求項１０の考案によれば、前記加熱手段は、ヒータ線であり、該ヒーター線の一部は、前記セラミックプレートの下方に位置しているので、ヒータ線からの加熱でセラミックプレートを加熱し、マットに横臥する人体の温熱治療ができる。  請求項１１の考案によれば、セラミックプレートに入れる天然放射性鉱物は、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものであり、この天然放射性鉱物からの放射線により人体の治療を行うことができる。
また、請求項１２の考案によれば、温熱治療用マットの長手方向の所定位置に、セラミックプレート不存在領域を備え、該セラミックプレート不存在領域において折り畳み可能としたので、温熱治療用マットを折り畳むことが容易となる。
【考案を実施するための最良の形態】
【００１７】
この考案の実施形態を図面に基づいて説明する。図１はこの考案の温熱治療用マットの一部破断平面図、図２は同温熱治療用マットの一部破断平面図、図３は同温熱治療用マットの内部構成物を分解して示す側断面図、図４はこの考案の温熱治療用マットの別の実施形態の一部破断平面図、図５は同温熱治療用マットの内部構成物を分解して示す側断面図、図６は同温熱治療用マットに人が横臥した状態を示す平面図、図７はコントローラーの正面図である。
【００１８】
図１ないし図３において、この考案の温熱治療用マットは、マット本体１が、人が横臥可能な大きさを有するハニカム状シート２と、該シート２上に分散して配置された複数個の天然放射性鉱物含有セラミックプレート３と、前記ハニカム状シートの下面に設けられ、通電により発熱する加熱手段４とを備える内部構成物Ｂと、該内部構成物Ｂを被包するカバー５とにより構成されている。この温熱治療用マットは家庭にて使用できるように運搬可能である。
前記ハニカム状シート２は、ハニカム形態を形成する側面がメッシュ状となっているハニカムメッシュシートであり、人体を横臥しうる長さと幅を備えている。ハニカム構造のシート２は、樹脂製ファイバーを立体的に編み、六角形（六角柱）の網目を持つものであり、弾性を有し、その弾性は復元性のある樹脂製ファイバーからなる多数の縦糸によって確保されている。このハニカム状シート２は通気性、柔軟性、クッション性を高め、かつ屈曲可能としてある。
図６に示すマット本体１は人体Ａの全長とほぼ同じサイズとして、人が横臥して治療できるようにするのが好ましい。マット本体１の大きさは適宜のサイズにできる。
【００１９】
前記セラミックプレート３はセラミック材に天然放射性鉱物を入れて四角形に成形したプレートである。前記セラミックプレート３は、前記温熱治療用マットのマット本体１の縦方向および横方向に適宜間隔にて複数配置されている。実施例では、ハニカム状シート２の上に３列で７枚ずつ、計２１枚のセラミックプレートが配置されている。
また、図１，図４、図６に示すように、この実施例の温熱治療用マットでは、マットの長手方向の所定位置に、長手方向に直交するとともに、他の領域におけるセラミックプレート３のマットの長手方向離間距離より長い所定幅を有するセラミックプレート不存在領域９を備えている。そして、この実施例の温熱治療用マットは、セラミックプレート不存在領域９において折り畳み可能となっている。従って、このセラミックプレート不存在領域において折り畳み可能としたので、温熱治療用マットを折り畳むことが容易となる。
本考案の温熱治療用マットに使用されるセラミックプレートが含有する天然放射性鉱物は、微弱で微量の放射線を発生する鉱物である。天然放射性鉱物としては、例えば、ニンギョウ石、センウラン鉱、カツレン石、トリウム石、モナザイト、サマルスキー石、ヘエルグリン石、ゼノタイム、トロゴム石、変種ジルコン、パイロクロワからなる群より選択される少なくとも１種のものが好適である。
セラミックプレート３としては、天然放射性鉱物を含有し焼成したものが好適である。セラミックプレート３は、微弱で微量の放射線を持続的に放出する。この放射線は微弱で微量で、人体に悪影響を及ぼすことはなく、健康増進をさせるものといわれている。これが、所謂ホルミシス効果である。放射線により人体の免疫力を高め、かつ細胞の働きを活発として新陳代謝を促進して、健康増進を図る。また、放射線の作用でマイナスイオンを発生させ、体内に吸い込ませて、自律神経をやわらげる働きをさせる。
【００２０】
また、加熱手段４によりセラミックプレート３が加熱されて、セラミックプレート３から放射線、遠赤外線等が発生し、或いはセラミックプレート３の熱による刺激で体の深部まで均等に温め、発汗を促進して血行の改善を図ることができる。前記セラミックプレートの形状は四角形としてあるが、これに限られるものではなく、円形など適宜形状とできる。
図３に示すように、前記内部構成物Ｂは、前記した人が横臥可能な大きさを有するハニカム状シート２と、該シート２上に分散して配置された複数個の天然放射性鉱物含有セラミックプレート３と、前記ハニカム状シートの下面に設けられ、通電により発熱する加熱手段４とが備えられている。
【００２１】
前記加熱手段４としては、ヒータ線１０を施設し、該ヒーター線１０は、前記セラミックプレート３を備えたハニカム状シート２の下方に位置している。該ヒーター線１０の一部は、前記セラミックプレート３の下方に位置している
加熱手段４はマットの全面を温熱できるように全面にヒーター線１０が蛇行状に配線され、その上下面が耐熱性ヒーター基布１１により覆われている。
ヒーター線１０は本体プラグ１６に接続されている。
ヒーター線１０が加熱されると、ハニカム状シート２を熱が通ってセラミックプレート３が加熱され、セラミックプレート３から放出する放射線、遠赤外線等と、ヒーター線からの遠赤外線等によりマット本体１に横臥する人体Ａを温熱治療する。
【００２２】
前記カバー５は表生地１２と裏生地１３とにより内部構成物Ｂを収納する大きさの袋状に設けられている。表生地１２と裏生地１３は耐熱性ＰＶＣが用いられている。カバー５の外周がウエルダー加工される。
表生地１２と前記ハニカム状シート２、セラミックプレート３との間には輻射熱を保ち、湿気の浸透を防ぐシート材１４、例えばエステルメッシュが設けられる。
裏生地１３と前記耐熱性ヒーター基布１１で覆われたヒーター線１０との間に弾性を有するシート材１５、例えば圧縮フエルトが設けられる。
【００２３】
この考案の温熱治療用マットは、通気性、柔軟性を持たせるハニカム状シートと、該シート上に分散配置された複数個の天然放射性鉱物含有セラミックプレートと、前記ハニカム状シートの下面の加熱手段とを備える内部構成物をカバーで被包したので、通気性および柔軟性を有し、人がマット上に横臥して治療するときに人の重みでマット本体が変形して背中等に各セラミックプレートがフイットして違和感がなく長時間横臥して治療でき、かつセラミックプレートおよび横臥する者への加熱を確実に行い、放射線による刺激、マイナスイオンの作用で、人体の細胞の働きを高め、免疫力、自然治癒力を高め、遠赤外線による熱刺激により人体の血行等をよくして治療効果を高めることができる。そして、セラミックプレートをハニカム状シートの開口部に備えて、通気性、柔軟性を持たせ、横臥する人体にフイットさせ、長時間横臥して治療することができる。この温熱治療用マットは運搬可能で、家庭にて使用できる。
【００２４】
図４および図５に示すこの考案の温熱治療用マットの別の実施形態ではハニカム状シート２の上にセラミックプレート３を収納した第２のハニカム状シート６が備えられる。
第２のハニカム状シート６は、前記ハニカム状シート２と同じハニカムメッシュシートであり、人が横臥可能な大きさを有し、かつセラミックプレート配置用の複数の開口部７を備え、前記ハニカム状シート２と同じ大きさとして重ねて配置される。この構造とすることにより、ハニカム状シート６は通気性および柔軟性を有し、かつセラミックプレート３を収納保持できる。
該ハニカム状シート６には縦横に複数の開口部７が間隔をおいて設けられ、各開口部７に前記セラミックプレート３が収納される。前記セラミックプレート３は、前記温熱治療用マットのマット本体１の縦方向および横方向に適宜間隔にて複数配置されている。前記セラミックプレート３を開口部７に収納した前記第２のハニカム状シート６は、全体が被包材８により被包され、前記セラミックプレート３の前記第２のハニカム状シート６からの離脱が規制されている。被包材８はセラミック基布で、例えば、耐熱ポリ塩化ビニール（ＰＶＣ）製であり、セラミックプレート３を備えたハニカム状シート６の上面と下面に被せられている。
【００２５】
前記セラミックプレート３は、前記第２のハニカム状シート６の前記開口部７内に収納されるとともに固定されている。この構造とすることにより、使用中にセラミックプレートが動くことがない。。
前記セラミックプレート３の厚さは、前記第２のハニカム状シート６の厚さより薄く、前記開口部７より突出しないものとなっている。
前記セラミックプレート３の厚さは、前記第２のハニカム状シート６の厚さより薄く、前記温熱治療用マットに人が横臥した状態においても、前記第２のハニカム状シート６の前記開口部７より突出しないものとなっている。この構造とすることにより、使用中にセラミックプレートがハニカム状シートより突出せず、横臥する人体にセラミックプレートがフイットして当たるようにできる。
図４に示すマット本体１は、ハニカム状シート６の縦方向および横方向に３列で７個の開口部７が一定の間隔をおいて設けられ、計２１枚のセラミックプレートが配置されている。そしてマット本体１は２つ折りにするために、第２のハニカム状シート６の中間部の開口部７、７間のセラミックプレート不存在領域９の間隔が広く設けられ、その中間のＸ−Ｘ線で折り曲げて畳むようにしてある。
なお、ハニカム状シート２と第２のハニカム状シート６との２層構造としたが、これに限られるものでない。セラミックプレート３を配置する間隔は適宜間隔とすることができる。
【００２６】
前記内部構成物Ｂは、前記した人が横臥可能な大きさを有するハニカム状シート２と、該シート２の上に複数個の天然放射性鉱物含有セラミックプレート３を収納したハニカム状シート６とを重ね、前記ハニカム状シート２の下面には前記実施形態と同様に通電により発熱する加熱手段４とが備えられている。そして、表生地１２とハニカム状シート６、セラミックプレート３との間にエステルメッシュ等シート材１４、裏生地１３と耐熱性ヒーター基布１１で覆われたヒーター線１０との間に圧縮フエルト等シート材１５が備えられている。該内部構成物Ｂが前記カバー５により被包されてマット本体１が加工される。
【００２７】
図５にこの考案の温熱治療用マットの内部構成物の実施例を示す。
[実施例]
表生地（耐熱ＰＶＣ）：１．０ｍｍ
エステルメッシュ
セラミック基布（耐熱ＰＶＣ）：０．３ｍｍ
セラミックプレート・ハニカム状シート
セラミック基布（耐熱ＰＶＣ）：０．３ｍｍ
ハニカムメッシュ：４ｍｍ
ヒーター基布（生地）
ヒーター線
ヒーター基布（生地：ワッペン加工）
圧縮フェルト（６００ｇ／ｍ２）
裏生地（耐熱ＰＶＣ）：１．０ｍｍ
【００２８】
この考案の温熱治療用マットは、人が横臥可能な大きさを有するハニカム状シート２と、該シート２上に分散して配置された複数個の天然放射性鉱物含有セラミックプレート３と、前記ハニカム状シート２の下面に設けられ、通電により発熱する加熱手段４とを備える内部構成物Ｂと、該内部構成物Ｂを被包するカバーとを有する温熱治療用マットであって、前記温熱治療用マットは、人が横臥可能な大きさを有し、かつ前記セラミックプレート配置用の複数の開口部７を備える第２のハニカム状シート６を備え、前記セラミックプレート３は、前記第２のハニカム状シート６の複数の開口部７に収納固定されており、かつ、前記セラミックプレート３の厚さは、前記第２のハニカム状シート６の厚さより薄く、前記開口部７より突出しないものとなっている。
【００２９】
この考案の構造とすれば、通気性、柔軟性、クッション性を有し、かつ屈曲可能なハニカムメッシュ６のセラミックプレート配置用の複数の開口部７にセラミックプレート３が備えられているので、カバー５で被包したマット本体１に人が横臥して治療するときに人の重みでマット本体１が変形して背中等に各セラミックプレートがフイットして違和感がなく長時間治療ができる。また、加熱手段４の熱がハニカム状シート２を通じてセラミックプレート３および横臥する者への加熱を行い、セラミックプレート３より人体Ａに対して放射線を放出するとともに遠赤外線が人体の皮膚、皮下組織に刺激を与えて血行を良くすることができる。さらに、放射線の作用でマイナスイオンを発生させ、マイナスイオンにより自律神経の調整をし、ストレスの緩和を図ることができる。
【００３０】
図１に示す温熱治療用マットは、カバー５の一端に本体プラグ１６が備えられ、コントローラー１７が接続される。１８は電源プラグ、１９は電源コード、
２０は中間コード、２１は本体プラグ１６に接続するコネクタである。
図７に示すコントローラー１７は、電源スイッチ２２、電源ランプ２３、温度調節つまみ２４、タイマー切り替えつまみ２５、タイマーランプ２６等が備えられている。コントローラー１７の電源を入れて、温度調節つまみで加熱手段４の温度調節を行い、かつタイマー切り替えつまみでタイマー設定時間を設定し、温熱治療用マットのセラミックプレートを加熱して前記セラミックプレートより放射線、マイナスイオンや遠赤外線を発生させて体を暖め、発汗作用を促進させるなどの改善を図る。
【００３１】
図８はこの考案の温熱治療用マットを収納したサウナ用寝袋の平面図、図９は同寝袋に人が横になった状態を示す断面図である。
図８および図９において、この考案の温熱治療用マットを収納したサウナ用寝袋を説明する。
サウナ用寝袋３０は、上掛けカバー３１と下敷カバー３２からなり、上掛けカバー３１の中央に頭と首を露出する開口部側より他端までファスナー３３が設けられて開閉可能としてある。
上掛けカバー３１は内部にポリエステル綿を入れて外面をウレタンフィルムシート、内面をアルミ蒸着フィルムシートとにより構成され、また下敷カバー３２は内部に発泡ポリエチレンシートを入れて、その下面をウレタンフィルムシート、内面側をアルミ蒸着フィルムシートとにより構成されている。
この寝袋３０の内部に前記したこの考案の温熱治療用マットのマット本体１が収納されている。
【００３２】
図９に示すように寝袋３０内に人体Ａを横臥させてファスナー３３を締め、温熱治療用マットのマット本体１のコントローラー１７を制御してサウナ浴により治療をさせる。
この考案の温熱治療用マットを収納したサウナ用寝袋によれば、前記温熱治療用マットによる前記した効果と、寝袋内における加熱による発汗作用との相乗効果で治療効果を高めることができる。寝袋の内面側をアルミ蒸着フィルムシートとしたことにより、マット本体の加熱手段４による加熱による遠赤外線、熱等を反射させて、人体に当てさせて発汗作用をより高めることができる。
【００３３】
この考案は上記実施形態に限定されるものではなく、この考案の要旨を逸脱しない範囲で、種々の形態を実施しうるものである。
【図面の簡単な説明】
【００３４】
【図１】この考案の温熱治療用マットの一部破断平面図である。
【図２】同温熱治療用マットの一部破断平面図である。
【図３】前記温熱治療用マットの内部構成物を分解して示す側断面図である。
【図４】この考案の温熱治療用マットの別の実施形態の一部破断平面図である。
【図５】同温熱治療用マットの内部構成物を分解して示す側断面図である。
【図６】同温熱治療用マットに人が横臥した状態を示す平面図である。
【図７】コントローラーの正面図である。
【図８】この考案の温熱治療用マットを収納したサウナ用寝袋の平面図である。
【図９】同寝袋に人が横臥した状態を示す断面図である。
【符号の説明】
【００３５】
１  マット本体
２  ハニカム状シート
３  セラミックプレート
４  加熱手段
５  カバー
６  第２のハニカム状シート
７  開口部
８  被包材
１０  ヒーター線
１１  ヒーター基布
１２  表生地
１３  裏生地
１４  シート材
１５  シート材
１７  コントローラー
３０  寝袋
Ａ  人体
Ｂ  内部構成物
【図１】
0003124250.tif 000003
【図２】
0003124250.tif 000004
【図３】
0003124250.tif 000005
【図４】
0003124250.tif 000006
【図５】
0003124250.tif 000007
【図６】
0003124250.tif 000008
【図７】
0003124250.tif 000009
【図８】
0003124250.tif 000010
【図９】
0003124250.tif 000011